(57)【特許請求の範囲】
【請求項１】
相手側通信装置との通話を行うハンドセットを有し、ファクシミリ送受信用の予め設定された各種パラメータ値に基づいてデータ通信を行うファクシミリ装置において、
通信回線から到来するＤＴＭＦ信号を検出する検出手段と、
予め定める暗証番号を予め記憶する記憶手段（１７）と、
上記通信回線から到来する暗証番号の入力を許可するために操作される操作手段と、
通話状態において、上記操作手段によって上記通信回線から到来する暗証番号の入力が許可された後、上記検出手段によって検出されたＤＴＭＦ信号によって構成される上記入力を許可する操作がなされたのか確認するための暗証番号および保守管理モードに移行させるための暗証番号と、上記記憶手段によって予め記憶された暗証番号との一致／不一致の判定を２回行い、１回目の一致／不一致の判定において、上記入力を許可する操作がなされたのか確認するための暗証番号と記憶手段によって予め記憶された暗証番号とが一致したと判定したとき、その１回目の一致判定後に上記ハンドセットが載置されると、２回目の一致／不一致の判定において、保守管理モードに移行させるための上記暗証番号と記憶手段によって予め記憶された暗証番号とが一致したと判定したとき、上記通信回線から到来する上記検出結果に基づく上記各種パラメータ値を変更して設定し、その変更して設定した上記各種パラメータでファクシミリ動作を行う制御手段とを設けたことを特徴とするファクシミリ装置。
【請求項２】
上記制御手段は、前記１回目の一致判定後、上記ハンドセットの載置を求めるメモリ（１５）に格納されたメッセージを、そのハンドセットから放音させ、上記メッセージの放音に応答して上記ハンドセットが載置されたとき、通信回線に、保守管理モードに移行させるための上記暗証番号の入力を要求するメッセージを送出することを特徴とする請求項１記載のファクシミリ装置。
【発明の詳細な説明】
【０００１】
【発明の属する技術分野】
本発明は、ファクシミリ装置に関する。
【０００２】
【従来の技術】
従来より、電話機及びファクシミリ装置等の通信装置においては、特開昭６３−３８３６７号公報に示されるように、パーソナルコンピュータによって保守管理されるファクシミリ装置に、パーソナルコンピュータからの通信回線を通じた自己診断内容の要求に応答して自装置のマイクロプロセッサの制御情報格納エリアのメモリ内容を画像信号変換せずにそのままの形で送信する診断機能を設けることにより、パーソナルコンピュータにおいて遠隔地のファクシミリ装置の故障等を把握することができるようにしたものや、特開昭６４−４４６７４号公報に示されるように、ファクシミリ装置から送られてくるリモート信号に応答する機能が付加されたリモートファクシミリ装置に、ファクシミリ装置から送られてくるリモートデータリード又はリモートデータ変更の指令信号に応答して自装置のメモリからデータを読み出す又はメモリに格納されているデータを変更する機能を備えることにより、ファクシミリ装置によって遠隔地のリモートファクシミリ装置のコントラストの調整値、プリンタやスキャナの濃度調整のデータ、ファクシミリにおける種々な機能の有効／無効を決めるデータ等を知ることができると共に、そのデータをファクシミリ装置における遠隔操作によって変更できるようにしたものが提案されていた。
【０００３】
【発明が解決しようとする課題】
ところが、上記従来装置では、ファクシミリ装置及びリモートファクシミリ装置等の通信装置を管理するセンターでは、通信装置を管理するためにＦＡＸモデムを備えたパーソナルコンピュータ及びファクシミリ装置等による特有の通信プロトコルを使用しなくてはならず、通信装置を管理するための装置に制限がかかるといった問題点があり、又通信装置の状態を一点だけ知りたい場合でも、幾度もトレーニングを行わなくてはならず、長時間を要すると共に、通信料が高くなるといった問題点があった。
【０００４】
本発明は、特有の通信プロトコルを要することなく、短時間で管理を行うことができるファクシミリ装置を提供することを目的とするものである。
【０００５】
【課題を解決するための手段】
上記目的を達成するために、本発明は、相手側通信装置との通話を行うハンドセットを有し、ファクシミリ送受信用の予め設定された各種パラメータ値に基づいてデータ通信を行うファクシミリ装置において、
通信回線から到来するＤＴＭＦ信号を検出する検出手段と、
予め定める暗証番号を予め記憶する記憶手段（１７）と、
上記通信回線から到来する暗証番号の入力を許可するために操作される操作手段と、
通話状態において、上記操作手段によって上記通信回線から到来する暗証番号の入力が許可された後、上記検出手段によって検出されたＤＴＭＦ信号によって構成される上記入
力を許可する操作がなされたのか確認するための暗証番号および保守管理モードに移行させるための暗証番号と、上記記憶手段によって予め記憶された暗証番号との一致／不一致の判定を２回行い、１回目の一致／不一致の判定において、上記入力を許可する操作がなされたのか確認するための暗証番号と記憶手段によって予め記憶された暗証番号とが一致したと判定したとき、その１回目の一致判定後に上記ハンドセットが載置されると、２回目の一致／不一致の判定において、保守管理モードに移行させるための上記暗証番号と記憶手段によって予め記憶された暗証番号とが一致したと判定したとき、上記通信回線から到来する上記検出結果に基づく上記各種パラメータ値を変更して設定し、その変更して設定した上記各種パラメータでファクシミリ動作を行う制御手段とを設けたことを特徴とするファクシミリ装置である。
【０００６】
又、本発明は、上記制御手段は、前記１回目の一致判定後、上記ハンドセットの載置を求めるメモリ（１５）に格納されたメッセージを、そのハンドセットから放音させ、上記メッセージの放音に応答して上記ハンドセットが載置されたとき、通信回線に、保守管理モードに移行させるための上記暗証番号の入力を要求するメッセージを送出することを特徴とする。
【００１２】
従って、本発明によれば、通話状態において、たとえば後述の図３のステップＦ１０５で「♯」を２回押下するなどして、操作手段によって暗証番号の入力が許可され、その後、検出手段によって通信回線から到来するＤＴＭＦ信号が検出されると、制御手段がその検出されたＤＴＭＦ信号によって構成される暗証番号と記憶手段に記憶された暗証番号との一致／不一致を判断し、このとき暗証番号が一致していると判断されると、その後に検出手段によって検出されるＤＴＭＦ信号に基づいて制御手段がデータ通信に用いられる各種パラメータ値を設定することにより、通信回線を介して接続された電話機等のＤＴＭＦ信号を送出可能な装置によって通信装置における各種パラメータ値を変更することができる。
【００１５】
【発明の実施の形態】
以下、本発明の実施の形態について図面を参照して詳細に説明する。
【００１６】
図１は本発明の通信装置の一実施例であるファクシミリ装置の電気的構成を示す機能ブロック図、図２は同ファクシミリ装置における各種パラメータ値を表す機能パラメータ表、図３は同ファクシミリ装置における保守管理開始時の動作制御を示すフローチャート、図４は同ファクシミリ装置における保守管理動作時の動作制御を示すフローチャート、図５は同ファクシミリ装置におけるリスト取出動作時の動作制御を示すフローチャートである。
【００１７】
図１において、１は図示しない交換機を介して相手側通信装置に接続される通信回線、２は通信回線１の極性反転を検出する極性反転検出部、３は停電時と通電時の通信回線１からの経路を切り換えるリレー、４は通信回線１に接続される交換機よりの呼出信号に応答して呼出音を発生するリンガ回路、５は通信回線１を通じて接続された相手側通信装置との通話経路を形成するＴＥＬ回路、６はＴＥＬ回路５によって形成された通話経路を用いて相手側通信装置との通話を行うハンドセットであり、マイクとスピーカによって構成されている。７はハンドセット６をＴＥＬ回路５又は後述するクロスポイントスイッチ回路９の何れか一方に接続するリレーである。
【００１８】
８は通信回線１より受信した画像データの復調及び通信回線１に送信する画像データの変調を行うモデムであり、後述するフラッシュメモリ１８に格納する音声データの生成及びフラッシュメモリ１８に格納された音声データの合成を行うＤＳＰ録再機能を備えている。９は通信回線１に送出する信号、ＴＥＬ回路５からの信号、及びハンドセット６からの信号、及びモデム８からの信号をそれぞれ任意にＴＥＬ回路５、ハンドセット６、又はモデム８に供給するクロスポイントスイッチ回路、１０はモデム８によって送受信されるファクシミリ送受信用画像データの圧縮／拡大時に使用するＤＲＡＭ、１１はクロスポイントスイッチ回路９のスイッチ制御、及びＤＲＡＭ１０へのデータ書込／読出制御等を行うゲートアレイ回路である。
【００１９】
１２はモデム８によって復調された後、ＤＲＡＭ１０を用いて圧縮／拡大された画像データを感熱紙等の記録紙に印刷するサーマルヘッド、１３は原稿より画像を読み取る画像読取装置であり、ＣＣＤ／エンコーダ／ＬＥＤ等によって構成されている。１４は画像読取装置１３から読み取られたデータに基づいて画像読取装置１３の駆動制御を行うと共に、画像読取装置１３によって読み取られた画像データをＤＲＡＭ１０又はモデム８に送出するアナログＬＳＩである。
【００２０】
１５はファクシミリ装置本体の各種動作を制御する際に必要なプログラム、及び各種パラメータ値の設定動作又は暗証番号の判定動作の操作方法を示す音声ガイド等を格納するＲＯＭ、１６はＲＯＭ１５に格納されたプログラムに基づいてファクシミリ装置本体の各種動作を制御するＣＰＵ、１７は自局の電話番号及び相手局の電話番号等の登録データ、装置の状態を示すデータ、及び暗証番号データを格納するバックアップを必要とするＲＡＭであり、装置の状態を示すデータは、図２に示すように、装置が有する各種機能の有無の決定、各種信号の検出率、及び信号送出レベルの値等のデータがソフトスイッチによって設定され、機能パラメータとして格納されている。
【００２１】
１８はモデム８によって生成された音声データを格納するバックアップを必要とするフラッシュメモリ、１９はデータを一時的に格納する一時格納用のＲＡＭ、２０は時間の計時を行う時計用ＩＣ（ＲＴＣ）、２１は電話番号等の入力及び留守モードへの移行並びにファクシミリ送受信の開始を指示するキー、電話番号等の表示を行うＬＣＤ、及びファクシミリ送受信時におけるモード（標準／繊細／中間調）を報知するためのＬＥＤ等を制御するパネル制御部、２２はファクシミリ装置本体に電力を供給する電源ユニットである。
【００２２】
２３はモデム８とゲートアレイ回路１１とＲＯＭ１５とＣＰＵ１６とＲＡＭ１７とフラッシュメモリ１８とＲＡＭ１９とを適切に配線すると共に、画像読取装置１３の制御、アナログＬＳＩ１４の制御、時計用ＩＣ２０によって計時されている時間の読み出し、及びパネル制御部２１からのキー入力、パネル制御部２１における文字表示、パネル制御部２１におけるＬＥＤの点灯／消灯等の制御を行うメインゲートアレイ回路である。
【００２３】
上記のように構成されたファクシミリ装置について、保守管理時の動作を説明する。
【００２４】
使用者が例えばファクシミリ送受信ができたりできなかったりする、といったファクシミリ装置の異常を感じてそのファクシミリ装置の保守側に電話をかけ（ステップＦ１０１）、その電話に保守側が応答したとき（ステップＦ２０２〜Ｆ２０３）、又は保守側においてファクシミリ装置の異常等がないかの確認の電話をかけ（ステップＦ２０１）、それにファクシミリ装置の使用者が応答したとき（ステップＦ１０２〜Ｆ１０３）、その後の通話状態（ステップＦ１０４、Ｆ２０４）において使用者がファクシミリ装置の異常を連絡すると、保守側は使用者に対してファクシミリ装置の異常を直すために内部機能パラメータの値を変えることの了承をとり、使用者に「＃」を２回押下してもらうことを伝える（ステップＦ２０５）。
【００２５】
そして、使用者が保守側からの要求に応じて「＃」を２回押下する（ステップＦ１０５）と、パネル制御部２１により「＃」の２回の押下が検出され、メインゲートアレイ回路２３、及びモデム８を介して通信回線１に「＃」を押下したときの音が送出され、その後に保守側が、ファクシミリ装置において「＃」が２回押下されたのか確認するために、通信回線１に予め定められた桁数の暗証番号をＤＴＭＦ信号（トーン信号）で発信する（ステップＦ２０６）。
【００２６】
そして、その保守側から発信されたＤＴＭＦ信号は通信回線１を通じてＴＥＬ回路５に供給され、ハンドセット６よって外部に放音されると共に、通話トランスＴ３を経由してクロスポイントスイッチ９に供給され、ゲイン調整された後にモデム８に供給される。そして、モデム８では入力されたＤＴＭＦ信号を１〜０，＊，＃等のコード信号に変換し、ゲートアレイ１１及びメインゲートアレイ２３によって構成されたデータバスを通じてＣＰＵ１６に供給され、ＣＰＵ１６はモデム８より供給されたコード信号とＲＡＭ１７に格納された暗証番号とを照合し（ステップＦ１０６）、一致していればリレー３を切り換えて通信回線１とモデム８とをトランスＴ１を経由して接続する（ステップＦ１０７）一方、リレー７を切り換えてハンドセット６とクロスポイントスイッチ回路９とを接続させ、且つクロスポイントスイッチ回路９を制御してハンドセット６とモデム８とを接続させた後、ＣＰＵ１６がＲＯＭ１５に格納されていたデータコードをモデム８に供給し、そのデータコードに基づいてモデム８が音声合成動作を行うことによって、ハンドセット６よりハンドセット８の載置を求める、例えば「受話器を戻して下さい。」等のメッセージを放音させる（ステップＦ１０８）。
【００２７】
そして、使用者がそのメッセージに基づいてハンドセット６を載置し、そのハンドセット６の載置が検出される（ステップＦ１０９）と、ＣＰＵ１６がＲＯＭ１５に格納されていたデータコードをモデム８に供給し、そのデータコードに基づいてモデム８が音声合成動作を行うことによって、通信回線１に暗証番号の入力を要求する、例えば「暗証番号をどうぞ。」等のメッセージを送出する（ステップＦ１１０）。
【００２８】
そして、保守側が通信回線１から到来する暗証番号を要求するメッセージに応答して通信回線１に保守管理モード（リモートダイアグモード）に移行させるための予め定められた桁数の暗証番号をＤＴＭＦ信号で発信する（ステップＦ２０７）と、このＤＴＭＦ信号はリレー３及びトランスＴ１を介してモデム８に供給され、モデム８では入力されたＤＴＭＦ信号を１〜０，＊，＃等のコード信号に変換し、ゲートアレイ１１及びメインゲートアレイ２３によって構成されたデータバスを通じてＣＰＵ１６に供給され、ＣＰＵ１６はモデム８より供給されたコード信号とＲＯＭ１５に格納された暗証番号とを照合し（ステップＦ１１１）、一致した場合には、例えば「ピッ」といった１２００Ｈｚの受信音を通信回線１に送出して保守管理モードに移行し、又一致しない場合には、例えば「ピピッ」といった１２００Ｈｚのエラー音を通信回線１に送出して通信回線１を開放し（ステップＦ１１２）、通信を終了する。
【００２９】
従って、上記動作制御によれば、使用者が保守側に電話をかけてファクシミリ装置の異常を連絡したとき、又は保守側が使用者に電話をかけてファクシミリ装置の異常等がないか確認したときにおいて、使用者がファクシミリ装置のメンテナンス等を許諾したときに保守側においてファクシミリ装置のメンテナンスを行うことができると共に、保守側ではメンテナンスを行うモードに入る際に暗証番号を入力しなくてはならないため、第三者による誤ったメンテナンス等を防止することができる。
【００３０】
次に、上記動作制御によって移行した保守管理モード時の動作について説明する。
【００３１】
ファクシミリ装置が保守管理モードに移行した状態において、保守側がファクシミリ装置の機能パラメータの値を聴取によって確認するソフトＳＷ確認モードに移行させるための操作「９３＃」を行う（ステップＦ２２１）と、保守側の装置は通信回線１に「９３＃」をコード化したＤＴＭＦ信号を送出する（ステップＦ２２２）。
【００３２】
そして、ファクシミリ装置において通信回線１よりＤＴＭＦ信号が到来すると、そのＤＴＭＦ信号はリレー３及びトランスＴ１を介してモデム８に供給され、モデム８では入力されたＤＴＭＦ信号を１〜０，＊，＃等のコード信号に変換し（ステップＦ１２１）、ゲートアレイ１１及びメインゲートアレイ２３によって構成されたデータバスを通じてＣＰＵ１６に供給され、ＣＰＵ１６は１桁ずつそれらのコードを一時格納用のＲＡＭ１９に格納する（ステップＦ１２２）一方、コード信号が「９３＃」であると判断される（ステップＦ１２３）と、ＣＰＵ１６がＲＡＭ１７に格納されているソフトスイッチによって設定された機能パラメータをモデム８に供給し、そのデータコードに基づいてモデム８が音声合成動作を行う（ステップＦ１２４）ことによって、通信回線１に機能パラメータの値を例えば６００Ｈｚの「ピッ」及び「ピー」といった音によって送出する（ステップＦ１２５）。
【００３３】
即ち、例えば図２に示すように、Ｎｏ．１のデータによって独自モード機能の有無を表し、Ｎｏ．２のデータによってＣＮＧ信号の検出回数を表し、Ｎｏ．３のデータによってカッター機能の有無を表し、Ｎｏ．４のデータによってＣＥＤ／ＮＳＦ信号の間隔を表し、又Ｎｏ．５〜Ｎｏ．８のデータによって信号送出レベルの値を表している機能パラメータＳＷ７の初期設定データとして、Ｎｏ．１〜Ｎｏ．８が「００００１０１０」と設定格納されている状態において、このデータをモデム８によって可聴音に変換すると、モデム８はまず「ピッピッピッピッ」と４ｂｉｔを表し、次に少し間を空けて「ピーピッピーピッ」と４ｂｉｔを表す音を送出する。
【００３４】
従って、上記動作制御によれば、保守側からの機能パラメータ値の要求に応じて装置の状態を表す機能パラメータの値を可聴音として保守側に報知することができるため、保守側においてソフトＳＷの変更前又は変更後にファクシミリ装置の状態を音声によって認識することができる。
【００３５】
尚、本実施例では、保守側に機能パラメータの値を報知する可聴音として、６００Ｈｚの音を用いたが、これに限定されるものではなく、例えば機能パラメータの値を「ゼロ」「イチ」等の音声情報に変換して送出するようにしても良く、又本実施例では、ファクシミリ装置の状態をソフトＳＷの変更前に認識しているが、後述するソフトＳＷ変更後にファクシミリ装置の状態を音声によって認識することによって正しくメンテナンスが行われたか確認するようにしても良い。
【００３６】
次に、保守側において保守管理するファクシミリ装置の機能パラメータを変更設定するときの動作について説明する。
【００３７】
保守側が上記動作制御によってファクシミリ装置の状態を音声によって認識してソフトＳＷのどの部分を変更すれば良いか判断する、又は使用者との電話の内容でソフトＳＷのどの部分を変更すれば良いか判断すると、保守側はファクシミリ装置が保守管理モードに移行した状態において、ファクシミリ装置の機能パラメータの値の内、変更するソフトＳＷの番号の入力、Ｎｏ．を指定する番号の入力、変更後の値の入力、及び機能パラメータの値の変更設定を行う設定番号受付モードに移行させるための操作「９６＃」を行い（ステップＦ２２３）、そのソフトＳＷの番号、Ｎｏ．の番号、及び「９６＃」をコード化したＤＴＭＦ信号を送出する（ステップＦ２２４）。
【００３８】
そして、ファクシミリ装置において通信回線１よりＤＴＭＦ信号が到来すると、そのＤＴＭＦ信号はリレー３及びトランスＴ１を介してモデム８に供給され、モデム８では入力されたＤＴＭＦ信号を１〜０，＊，＃等のコード信号に変換し（ステップＦ１２１）、ゲートアレイ１１及びメインゲートアレイ２３によって構成されたデータバスを通じてＣＰＵ１６に供給され、ＣＰＵ１６は１桁ずつそれらのコードを一時格納用のＲＡＭ１９に格納する（ステップＦ１２２）一方、コード信号が「９６＃」であると判断される（ステップＦ１２６）と、ＣＰＵ１６がＲＡＭ１７からＲＡＭ１９に一時的に格納されたソフトＳＷの番号の機能パラメータを読み出し、そのソフトＳＷのデータの内、ＲＡＭ１９に一時的に格納されたＮｏ．の番号のデータを、同じくＲＡＭ１９に一時的に格納された変更後の値に変更し（ステップＦ１２７）、その変更が正しく行われたとき、モデム８における音声合成動作によって、通信回線１に正常に変更設定されたことを表す、例えば６００Ｈｚの「ピー」といった音によって送出する（ステップＦ１２５）。
【００３９】
即ち、例えば、図２に示すような機能パラメータが設定されたファクシミリ装置において、保守側がファクシミリ装置の状態を知ることによって、又は使用者との電話でのやり取りによって、交換機からファクシミリ装置までの回線上で信号のロスが多く、ファクシミリ装置の信号送出レベルが初期設定値の−１０ｄＢｍ（機能パラメータＳＷ７のＮｏ．５〜Ｎｏ．８が「１０１０」）では応答なし等の通信障害が生じると判断した場合には、保守側はファクシミリ装置の通信障害をなくすために、信号送出レベルを上げて−６ｄＢ（機能パラメータＳＷ７のＮｏ．５〜Ｎｏ．８が「０１１０」）とする必要があるため、保守側は保守管理モードに移行したときに、ソフトＳＷ指定のための「７＊」、Ｎｏ．指定のための「５＊」、データを１から０に変えるための「０＊」、ソフトＳＷ変更コマンド「９６＃」を入力することによってファクシミリ装置に「７＊５＊０＊９６＃」を送出し、ファクシミリ装置のＲＡＭ１７に格納された機能パラメータの内、ソフトＳＷ７のＮｏ．５の値を「１」から「０」に書き換えた後、ソフトＳＷ指定のための「７＊」、Ｎｏ．指定のための「６＊」、データを０から１に変えるための「１＊」、ソフトＳＷ変更コマンド「９６＃」を入力することによってファクシミリ装置に「７＊６＊１＊９６＃」を送出し、ファクシミリ装置のＲＡＭ１７に格納された機能パラメータの内、ソフトＳＷ７のＮｏ．６の値を「０」から「１」に書き換えることによってファクシミリ装置の信号送出レベルが−１０ｄＢから−６ｄＢに変更される。
【００４０】
従って、上記動作制御によれば、通信回線１から到来するＤＴＭＦ信号に基づいて装置の機能パラメータの任意のデータのみを変更することができるため、保守側において通信回線１を通じてファクシミリ装置の保守管理を行うことができる。
【００４１】
尚、保守管理モードに移行した状態において、ＣＰＵ１６が通信回線１から到来するビジートーンを検出したとき（ステップＦ１３０）、又はＣＰＵ１６が時計用ＩＣ２０によって計時されている時間に基づいて所定時間に達したと判断されたとき（ステップＦ１３１）、通信回線１を開放する（ステップＦ１１２）ことによって通信を終了する一方、保守側において通信回線１の開放操作を行ったとき（ステップＦ２２７）、又は通信回線１から到来するビジートーンを検出したとき（ステップＦ２２８）、通信回線１を開放する（ステップＦ２２９）ことによって通信を終了する。
【００４２】
次に、保守側がファクシミリ送受信機能を有する場合において、保守管理するファクシミリ装置の状態を表すデータを用紙にて取り出すときの動作について説明する。
【００４３】
保守側がファクシミリ送受信機能を有し、保守管理するファクシミリ装置の状態を表すデータを用紙にて取り出すには、ファクシミリ装置が保守管理モードに移行した状態において、機能パラメータの値のファクシミリ送信要求を行うリスト取出モードに移行させるための操作「９２＃」を行い（ステップＦ２２５）、その「９２＃」をコード化したＤＴＭＦ信号を送出する（ステップＦ２２６）。
【００４４】
一方、ファクシミリ装置では、通信回線１よりＤＴＭＦ信号が到来すると、そのＤＴＭＦ信号はリレー３及びトランスＴ１を介してモデム８に供給され、モデム８では入力されたＤＴＭＦ信号を１〜０，＊，＃等のコード信号に変換し（ステップＦ１２１）、ゲートアレイ１１及びメインゲートアレイ２３によって構成されたデータバスを通じてＣＰＵ１６に供給され、ＣＰＵ１６は１桁ずつそれらのコードを一時格納用のＲＡＭ１９に格納する（ステップＦ１２２）一方、コード信号が「９２＃」であると判断される（ステップＦ１２９）と、ＣＰＵ１６がＲＯＭ１５に格納されていたデータコードをモデム８に供給し、そのデータコードに基づいてモデム８が音声合成動作を行うことによって、通信回線１にファクシミリ送信の開始を伝える、例えば「ＦＡＸを送信します。」等のメッセージを送出し（ステップＦ１４１）、その後、モデム８よりＣＮＧ信号を通信回線１に送出する（ステップＦ１４２）。
【００４５】
他方、保守側では、ファクシミリ装置から送出されたファクシミリ送信の開始を知らせるメッセージの聴取に基づいて保守側装置をファクシミリ受信状態に切り換える（ステップＦ２４１）ことによって、その後に到来するＣＮＧの検出を開始し（ステップＦ２４２〜２４３）、このとき所定時間が経過する前にファクシミリ装置から送出されたＣＮＧ信号が検出されると、保守側よりファクシミリ装置に対してＤＩＳ信号が送出される（ステップＦ２４４）。
【００４６】
一方、ファクシミリ装置では、ＣＮＧ信号の送出後、所定時間が経過する前に（ステップＦ１４３）、通信回線１より到来するＤＩＳ信号がモデム８によって検出される（ステップＦ１４４）と、モデム８がＤＣＳ信号を送出し（ステップＦ１４５）、その後、ＣＰＵ１６がＲＡＭ１７に格納されている機能パラメータをモデム８に供給し、そのデータコードに基づいてモデム８がファクシミリ信号を生成して通信回線１に送出する（ステップＦ１４６）。
【００４７】
他方、保守側では、所定時間が経過する前に（ステップＦ２４５）、ファクシミリ装置から送出されたＤＣＳ信号が検出される（ステップＦ２４６）と、その後に到来するファクシミリ信号を受信して復調し、感熱紙等の用紙に印刷する（ステップＦ２４７）。
【００４８】
そして、ファクシミリ装置では、ファクシミリ信号の送信が終了したとき（ステップＦ１４７）、通信回線１を開放する（ステップＦ１４８）ことによって通信を終了し、保守側では、ファクシミリ装置からのファクシミリ信号の送信の停止によってファクシミリ信号の受信が終了したと判断し（ステップＦ２４８）、通信回線１を開放する（ステップＦ２４９）ことによって通信を終了する。
【００４９】
従って、保守管理するファクシミリ装置の機能パラメータを保守側において用紙に印刷することができるため、保守側においてソフトＳＷの変更前又は変更後にファクシミリ装置の状態を認識することができる。
【００５０】
尚、上記実施例においては、リスト取出モードへの移行後、ファクシミリ装置の機能パラメータがファクシミリ信号として送出された後において自動的に通信を終了するようにしたが、これに限定されるものではなく、リスト取出モードへの移行後、ファクシミリ装置の機能パラメータがファクシミリ信号として送出された後において保守管理モードに戻るようにしても良く、又このような保守管理モードが実行されている状態では通常の電話、及びファクシミリ送受信を行うことができないため、ＬＣＤ等に保守管理モード実行中であることを表す表示を行うと共に、ハンドセット６より保守管理モード実行中であることを表すメッセージ或いはビジートーン等を放音させると良い。
【００５１】
【発明の効果】
以上のように、本発明によれば、ファクシミリ装置においてデータ通信に用いられる各種パラメータ値を、ＤＴＭＦ信号を送出可能な電話機等の通信装置によって変更することができるため、保守側において特別な通信プロトコルを有する通信装置を用いることなく、保守側における簡単な操作によってファクシミリ装置を保守管理することができる。
【００５２】
又、本発明によれば、ＤＴＭＦ信号によって構成された保守管理モードに移行させるための暗証番号が予め設定された暗証番号と一致したとき、その後に到来するＤＴＭＦ信号に基づいてファクシミリ装置の各種パラメータ値を変更することができるため、第三者が誤って各種パラメータを変更してしまうといったことを防止することができる。
【００５３】
更に、本発明によれば、通話状態に使用者が暗証番号の入力を許可したとき初めて保守側からの入力を許可する操作がなされたのか使用者側で確認する暗証番号の入力を行うことができるため、使用者側において保守管理の許可／不許可を設定することができ、保守側からの過剰な介入を防止することができる。
【図面の簡単な説明】
【図１】本発明の通信装置の一実施例であるファクシミリ装置の電気的構成を示す機能ブロック図。
【図２】同ファクシミリ装置における各種パラメータ値を表す機能パラメータ図表。
【図３】同ファクシミリ装置における保守管理開始時の動作制御を示すフローチャート。
【図４】同ファクシミリ装置における保守管理動作時の動作制御を示すフローチャート。
【図５】同ファクシミリ装置におけるリスト取出動作時の動作制御を示すフローチャート。
【符号の説明】
１    通信回線
２    極性反転検出回路
３    リレー
４    リンガ回路
５    ＴＥＬ回路
６    ハンドセット
７    リレー
８    モデム
９    クロスポイントスイッチ回路
１０    ＤＲＡＭ
１１    ゲートアレイ
１２    サーマルヘッド
１３    画像読取装置
１４    アナログＬＳＩ
１５    ＲＯＭ
１６    ＣＰＵ
１７    ＲＡＭ
１８    フラッシュメモリ
１９    ＲＡＭ
２０    時計用ＩＣ
２１    パネル制御部
２２    電源ユニット
２３    メインゲートアレイ
【図１】
0003686727.tif 000002
【図２】
0003686727.tif 000003
【図３】
0003686727.tif 000004
【図４】
0003686727.tif 000005
【図５】
0003686727.tif 000006